(57)【要約】      （修正有）【課題】簡単な構造であっても、車両運転者や通行人等に指示すべき進行方向が逆方向に変わった際、一度設置した進路表示板を、再度据え変えたりするような手間を掛けずに、しかも、簡単な操作で進路を表示することができる進路表示板を提供する。【解決手段】台形形状の第一表示部２０と、第一表示部２０と略同形の第二表示部３０と、ベース部材と、取り付け部材５０からなる進路表示板であって、第一表示部２０と第二表示部３０は、台形形状の短辺側を向かい合わせて、それぞれ縦に並べて設置される。ベース部材は、第一表示部２０と第二表示部３０の裏側に設置されており、第一表示部２０、及び第二表示部３０とベース部は、第一表示部２０の略中心、及び第二表示部３０の略中心に、取り付け部材５０を介して設置されており、第一表示部２０と第二表示部３０を、取り付け部材５０を回転軸として左右に回転させることにより、進路を表示することができる。【選択図】図２
0003197442.tif 000002
【実用新案登録請求の範囲】
【請求項１】
台形形状の第一表示部と、前記第一表示部と略同形の第二表示部と、ベース部と、取り付け部材からなる進路表示板であって、
前記第一表示部と前記第二表示部は、台形形状の短辺側を向かい合わせて、それぞれ縦に並べて設置されており、
前記ベース部は、前記第一表示部と前記第二表示部の裏側に設置されており、
前記第一表示部、及び前記第二表示部と前記ベース部は、前記第一表示部材の略中心、及び前記第二表示部の略中心に、前記取り付け部材を介して設置されており、
前記第一表示部と前記第二表示部を、前記取り付け部材を回転軸として左右に回転させることにより、進路を表示することができる進路表示板。
【請求項２】
前記第一表示部と前記第二表示部の表側には、光反射シートを設置したことを特徴とする請求項１に記載の進路表示板。
【考案の詳細な説明】
【技術分野】
【０００１】  本考案は、路面工事等の際、矢印を表示することにより車両運転者や通行人等に対して、進路を表示するための進路表示板に関する。さらに言えば、一度設置した進路表示板を、再度、据え変えたりするような手間を掛けずに、左右いずれの方向も表示することができる進路表示板に関する。
【背景技術】
【０００２】  従来の進路を表示する進路表示板は、表示板に「→：矢印」を表示することで、車両運転者や通行人等に指示すべき進路を示していた。車両運転者や通行人等に指示すべき進路が逆方向に変わったときは、進路表示板ごと「→」を１８０℃回転して「逆さま」に据え換える必要があった。頻繁に指示すべき進行方向が変わるような工事現場においては、いちいち手間が掛かり好ましく無かった。【０００３】  かかる不具合を解決するために、特許文献１の如く、「車両運転者や通行人に矢印により指示する進行方向（右，左，左右）の変化に対応して、同一のものを使用することができる標識板を提供すること（特許文献１：要約の課題）」を課題として、「両端部に矢先部分（ｂ）を有する矢印（ａ）が左右方向に形成ないし表示され、前記矢印（ａ）を全長にわたって上下から挟む位置に平行するガイドレール（１２）を有する矢印表示板（１０）と、前記矢先部分（ｂ）を遮蔽し得る遮蔽板（１１）とを備え、前記遮蔽板（１１）は、一方の矢先部分（ｂ）を遮蔽したとき及び他方の矢先部分（ｂ）を遮蔽したときに停止するように規制された状態で、前記ガイドレール（１２）に沿って往復移動可能に取り付けられていることを特徴とする、標識板（特許文献１：請求項１）。」が提案されている。
【先行技術文献】
【特許文献】
【０００４】
【特許文献１】  特開２００２−３１７４１０
【考案の概要】
【考案が解決しようとする課題】
【０００５】  特許文献１に係る標識板（本願では進路表示板）は、進路表示機能以外に必要なパーツとして、矢印を全長にわたって上下から挟む「ガイドレール」と、矢先部分を遮蔽し得る「遮蔽板」とを備える必要があり、しかも、遮蔽板は、一方の矢先部分を遮蔽したとき、及び他方の矢先部分を遮蔽したときに停止するように規制された状態になるような構成が必要であり、このような標識板にあっては、構造が複雑であり製造コストも掛かり好ましくない。【０００６】  本考案の目的は、簡単な構造であっても、車両運転者や通行人等に指示すべき進路が、逆方向に変わったとしても、一度設置した進路表示板を、再度据え変えたりするような手間を掛けずに、しかも、簡単な操作で進路を表示することができる進路表示板を提供することにある。
【課題を解決するための手段】
【０００７】  上記課題を解決するために、請求項１に記載した考案は、台形形状の第一表示部と、前記第一表示部と略同形の第二表示部と、ベース部と、取り付け部材からなる進路表示板であって、前記第一表示部と前記第二表示部は、台形形状の短辺側を向かい合わせて、それぞれ縦に並べて設置されており、前記ベース部は、前記第一表示部と前記第二表示部の裏側に設置されており、前記第一表示部、及び前記第二表示部と前記ベース部は、前記第一表示部材の略中心、及び前記第二表示部の略中心に、前記取り付け部材を介して設置されており、前記第一表示部と前記第二表示部を、前記取り付け部材を回転軸として左右に回転させることにより、進路を表示することができる進路表示板であることを特徴とするものである。【０００８】  請求項２に記載した考案は、請求項１に記載した考案において、第一表示部と第二表示部の表側には、光反射シートを設置したことを特徴とするものである。【０００９】
【考案の効果】
【００１０】  本願に係る考案によれば、第一表示部と第二表示部は、台形形状の短辺側を向かい合わせて、それぞれ縦に並べられて、かつ、第一表示部材の略中心、及び第二表示部の略中心に、取り付け部材を介してベース部に設置した簡単な構造である。第一表示部と第二表示部を、取り付け部材を回転軸として左右に回転させることにより、車両運転者や通行人等に指示すべき進路が逆方向に変わったとしても、一度設置した進路表示板を、再度据え変えたりするような手間を掛けずに、簡単な操作で進路を表示することができる。さらに、第一表示部と第二表示部の表側には、光反射シートを設置したので、夜間であっても良く見える。
【図面の簡単な説明】
【００１１】
【図１】進路を表示する前の状態を表す正面図である。
【図２】右方向を表示した状態を表す正面図である。
【図３】左方向を表示した状態を表す正面図である。
【図４】本考案に係る進路表示板の使用状態を表す全体斜視図である。
【考案を実施するための形態】
【００１２】＜進路表示板の構造、及び進路表示方法＞
以下、本考案に係る進路表示板１０について、図１〜図４を参照しつつ詳細に説明する。
図１は、本考案に係る進路表示板１０において、進行方向を表示する前の状態を表す正面図である。
【００１３】  図１に記載したように、本考案に係る進路表示板１０は、台形形状をした上側に設置する第一表示部２０と、第一表示部２０と略同形で下側に設置する第二表示部３０と、ベース部４０と、取り付け部材５０とからなっている。ベース部４０は、第一表示部２０と第二表示部３０の裏側に設置されており、通常は、アルミ板、樹脂板（アクリル板等）、鉄板等により構成されているが、第一表示部２０と第二表示部３０を、取り付け部材５０を介して、種々の固定物に設置することもできる。即ち、固定物自体がベース部４０となり得る。第一表示部２０、及び第二表示部３０は、第一表示部材２０の略中心、及び第二表示部３０の略中心に、取り付け部材５０（二重構造になっており、外側がベース部４０に固定され、内側が回転可能になっている）を介してベース部４０に設置されている。即ち、進路方向を表示する第一表示部２０と第二表示部３０は、進路を表示しない時は、回転自在な状態で、台形形状の短辺側を向かい合わせて（進路を表示する際、回転させることを考慮して離した状態で）、それぞれ縦に並べて設置されている（図１参照）。
【００１４】  図２は、右方向を表示した状態を表す正面図である。そして、図３は、左方向を表示した状態を表す正面図である。本考案に係る進路表示板１０において進路を表示する際は、第一表示部２０と第二表示部３０を、取り付け部材５０を回転軸として左右に回転させることにより進路を表示する。例えば、歩行者や車両運転者に右方向に進行することを表示するためには、図１の状態から第一表示部２０を、右（時計回り）に取り付け部材５０を回転軸として回転させ、第二表示部３０を、左（反時計回り）に取り付け部材５０を回転軸として回転させる（図２のようになる）ことにより進路（右方向）を表示する。そして、歩行者や車両運転者に左方向に進行することを表示するためには、図１の状態から第一表示部２０を、左（反時計回り）に取り付け部材５０を回転軸として回転させ、第二表示部３０を、右（時計回り）に取り付け部材５０を回転軸として回転させる（図３のようになる）ことにより進路（左方向）を表示する。
【００１５】  図４は、本考案に係る進路表示板１０の使用状態を表す全体斜視図である。本考案に係る進路表示板１０は、例えば、図４に記載したように、車両強制停止装置等に取り付けることができる。車両強制停止装置は、道路工事等で車線規制を行っている際に、誤って車両が突入してきた場合に備えて作業者等の安全を確保するために、誤って工事現場に突入して来た車両を強制的に停止させる装置である。車両強制停止装置に取り付けられた進路表示板１０は、二車線道路の走行車線側を工事している際は、追い越し車線側を走行する様に車両運転者等に指示するため、「右方向（図２のようになる）」に進行するように表示をするし、二車線道路の追い越し車線側を工事している際は、「左方向（図３のようになる）」に進行するように表示をする。
【００１６】＜進路表示板の効果＞
本考案のポイントは、進行方向を表示するため、「矢印→」ではなく、「Ｖ字を横にした形状」で表示することができることに着目したことである。そして「Ｖ字を横にした形状」は２つの台形形状（本考案では第一表示部２０、及び第二表示部３０）を縦に並べて、それぞれ左右に回転させることで表現できることに着目したことである。そして、本考案に係る進路表示板１０は、矢印自体（第一表示部２０と第二表示部３０）を、種々の固定物に、取り付け部材５０を介して、取り付けて、左右自在に進路表示機能を発揮することができる。
【００１７】  第一表示部２０と第二表示部３０は、台形形状の短辺側を向かい合わせて、進路を表示する際、回転させることを考慮して離した状態（図１参照）で、それぞれ縦に並べられて、かつ、第一表示部２０の略中心、及び第二表示部３０の略中心に、取り付け部材５０を介して設置されているだけの簡単な構造になっている。第一表示部２０と第二表示部３０を、取り付け部材５０を回転軸として左右に回転させるだけで、車両運転者や通行人等に指示すべき進路が逆方向に変わった際、一度設置した進路表示板１０を、再度据え変えたりするような手間を掛けずに、しかも、簡単な操作で進路を表示することができる。さらに、第一表示部２０と第二表示部３０の表側（歩行者や車両運転者から見える側）には、光反射シート６０を設置したので、夜間であっても良く見える。
【００１８】＜進路表示板の変更例＞
本考案に係る進路表示板１０の構成は、上記実施形態の態様に何ら限定されるものではなく、第１表示板２０、第二表示板３０、ベース部４０、取り付け部材５０、光反射シート６０等の構成を、本発明の趣旨を逸脱しない範囲で、必要に応じて適宜変更することができる。例えば、光反射シート６０の代わりにＬＥＤを設置することもできる。
【産業上の利用可能性】
【００１９】本考案に係る進路表示板は、上記の如く優れた効果を奏するものであるので、工事現場等で、車両運転者や通行人等に対して、進路を表示するための進路表示板として好適に用いることができる。
【符号の説明】
【００２０】１０・・進路表示板
２０・・第一表示部
３０・・第二表示部
４０・・ベース部
５０・・取り付け部材
６０・・光反射シート
【図１】
0003197442.tif 000003
【図２】
0003197442.tif 000004
【図３】
0003197442.tif 000005
【図４】
0003197442.tif 000006